(57)【要約】【課題】用紙の先端部の角部或いは該角部を含む用紙側縁がカールしていることがあっても、用紙カール部が給紙ローラー軸に引っ掛かって給紙不良が発生することを簡単に防ぎつつ用紙供給できる給紙装置及びそのような給紙装置を備えた画像形成装置を提供する。【解決手段】用紙押上部材２０１に積載される用紙Ｓを給紙ローラー２１に接触させて引き出し、給紙ローラー２１と捌き部材２２の間で捌きつつ１枚ずつ供給することができる給紙装置２０。給紙ローラー軸２１０は用紙先端角部カール逃がし用の屈曲部２１１を含んでおり、用紙Ｓを給紙ローラー２１に接触させて引き出し開始するとき、屈曲部２１１は給紙ローラー２１の回転中心２１ｃを間にして給紙ローラーと用紙の接触位置ｐ１とは反対側の位置ｐ２に配置される。この給紙装置２０を採用した画像形成装置１０。【選択図】図２
2013126906.tif 000002
【特許請求の範囲】
【請求項１】
給紙ローラーと、前記給紙ローラーに対向配置された用紙捌き部材と、用紙の少なくとも先端部を含む部分を積載して押し上げるための用紙押上部材と、前記用紙押上部材に積載される用紙を前記給紙ローラーに当接させるように前記用紙押上部材を押圧する押圧手段を含んでおり、前記押圧手段で前記用紙押上部材を押圧することで前記用紙押圧部材に積載される用紙を前記給紙ローラーに接触させて引き出し、前記給紙ローラーと前記捌き部材の間で捌きつつ１枚ずつ供給することができる給紙装置であり、前記給紙ローラーを支持して回転させるための給紙ローラー軸は、前記給紙ローラーの両外側で給紙ローラー半径方向へ該半径内で凹んだ用紙先端角部カール逃がし用の屈曲部を含んでおり、前記用紙押上部材に積載される用紙を前記給紙ローラーに接触させて引き出し開始するとき、前記屈曲部が前記給紙ローラーの回転中心を間にして前記給紙ローラーと前記用紙の接触位置とは反対側の位置に配置されることを特徴とする給紙装置。
【請求項２】
前記給紙ローラー軸は断面形状円形の軸である請求項１記載の給紙装置。
【請求項３】
前記給紙ローラー軸は、前記給紙ローラーの両外側から給紙ローラー半径方向へ屈曲し、給紙ローラー半径内で給紙ローラーから遠ざかるように延び、軸端部が、給紙ローラー回転中心と回転中心を同じくするように軸受け部に回転可能に支持された軸支持部材に連結固定されている請求項１又は２記載の給紙装置。
【請求項４】
給紙装置から供給される記録用紙に画像を形成できる画像形成装置であり、前記給紙装置は請求項１、２又は３記載の給紙装置である画像形成装置。
【発明の詳細な説明】
【技術分野】
【０００１】
本発明は、例えば、複写機、プリンター、ファクシミリ機又はこれらのうち２以上を組み合わせた複合機等の画像形成可能な装置等に採用して用紙の供給に利用できる給紙装置に関し、画像形成装置にも関係している。
【背景技術】
【０００２】
画像形成装置を例にとって説明すると、複写機、プリンター、ファクシミリ機又はこれらのうち２以上を組み合わせた複合機等の画像形成装置では、記録用紙に電子写真方式、インク方式等により画像が形成される。
【０００３】
このような画像形成装置では、画像形成方式が何であれ、記録用紙に画像を形成するために、記録用紙を１枚ずつ供給する給紙装置が採用される。
【０００４】
画像形成装置以外でも用紙に予め決めたこと（例えば、予め決めた切断、打ち抜き、折り等の加工）をなすために、用紙を１枚ずつ供給する給紙装置が採用されることがある。
【０００５】
このような給紙装置は種々のタイプのものがあるが、その中に、給紙ローラーと、前記給紙ローラーに対向配置された用紙捌き部材と、用紙を積載して押し上げるための用紙押上部材と、前記用紙押上部材に積載される用紙を前記給紙ローラーに当接させるように前記用紙押上部材を押圧する押圧手段を含んでおり、前記押圧手段で前記用紙押上部材を押圧することで前記用紙押上部材に積載される用紙を前記給紙ローラーに接触させて引き出し、前記給紙ローラーと前記捌き部材の間で捌きつつ１枚ずつ供給することができる給紙装置がある。
【０００６】
このタイプの給紙装置は、画像形成装置等で広く採用されているのであるが、次の点が指摘されている。すなわち、前記用紙押上部材に積載される用紙は給紙方向における先端部の角部、或いは該角部を含む用紙側縁がカールしていることがあり（曲がり或いは反っていることがあり）、カールした用紙先端部の角部が、真っすぐな給紙ローラー軸に引っ掛かり、用紙が斜めに供給される所謂スキュー、用紙端部の折れ曲がり、所謂ジャム（給紙不良による紙詰まり）などが発生することがある。
【０００７】
給紙ローラーを回転可能に支持する給紙ローラー軸は強度の点から小径化するには限度があるところ、最近の画像形成装置の小型化に伴う給紙ローラーの小径化によって給紙ローラー径と給紙ローラー軸径間の差が小さくなってきていることで、このような不具合が発生し易くなっている。
【０００８】
一方、用紙のカールや撓みを矯正する従来手段をみると、例えば、特許第３８０２９９３号公報（特許文献１）には、用紙側縁が通過する位置で、用紙側縁を押さえ規制する部材を用紙搬送ローラーの軸と同軸上に配置するなどして用紙のカールを矯正できる用紙案内装置が記載されている。
【０００９】
また、特開平８−７３０６４号公報（特許文献２）には、用紙先端両側のコーナー部を押さえる分離爪を有する分離爪捌き方式の給紙カセットが記載されており、同カセットには、間欠的に駆動される回転軸に固定されて最上層の用紙の先端部付近の表面に接触する給紙ローラーが設けられ、前記回転軸は折曲形成された紙葉押えを含み、前記紙葉押えは前記回転軸の回転中心からの半径が前記給紙ローラーの半径より小さな値に設定されて前記給紙ローラーの両外側に配置され、且つ、給紙開始時には用紙面と並行状に配置される給紙装置が記載されている。
【００１０】
この給紙装置によれば、給紙ローラー回転軸に一体に折曲形成された紙葉押さえによって最上層用紙を押さえるため、用紙側縁カールを押さえることができる。
【先行技術文献】
【特許文献】
【００１１】
【特許文献１】特許第３８０２９９３号公報
【特許文献２】特開平８−７３０６４号公報
【発明の概要】
【発明が解決しようとする課題】
【００１２】
しかしながら、特許文献１記載の用紙案内装置を応用して、給紙装置において用紙側縁が通過する位置で用紙側縁を押さえ規制する部材を給紙ローラーの軸と同軸上に配置する場合には、そのような規制部材を設けなければならず、部品点数が増加してしまう。
【００１３】
また、特許文献２に記載の給紙装置のように、給紙ローラー回転軸に折曲形成された  紙葉押さえのようなものを採用しようとしても、それは、給紙ローラー回転軸が用紙先端部の両角部を押える分離爪より後方にあり、且つ、鉛直方向で用紙積載投影範囲内に配置されており、さらに、用紙側縁に対応する紙葉押さえは給紙開始時には用紙面と並行状に（水平状に）配置されることを前提とするものであるため、前記用紙積載部材に積載される用紙を給紙ローラーに接触させて引き出し、分離爪を採用しないで該給紙ローラーと前記捌き部材の間で捌きつつ１枚ずつ供給する給紙装置では、サイドカールした（側縁がカールした）用紙が給紙ローラー軸に引っ掛かってしまう。
【００１４】
そこで本発明は、給紙ローラーと、前記給紙ローラーに対向配置された用紙捌き部材と、用紙の少なくとも先端部を含む部分を積載して押し上げるための用紙押上部材と、前記用紙押上部材に積載される用紙を前記給紙ローラーに当接させるように前記用紙押上部材を押圧する押圧手段を含んでおり、前記押圧手段で前記用紙押上部材を押圧することで前記用紙押上部材に積載される用紙を前記給紙ローラーに接触させて引き出し、前記給紙ローラーと前記捌き部材の間で捌きつつ１枚ずつ供給することができる給紙装置であって、前記用紙押上部材に積載され、これから供給されようとする用紙の先端部の角部或いは該角部を含む用紙側縁がカールしていることがあっても、用紙カール部が給紙ローラー軸に引っ掛かって給紙不良が発生することを簡単に防ぎつつ用紙供給できる給紙装置を提供することを課題とする。
【００１５】
また本発明は、給紙装置から供給される記録用紙に画像を形成できる画像形成装置であって、給紙装置から供給されようとする用紙の先端部の角部或いは該角部を含む用紙側縁がカールしていることがあっても、用紙カール部が給紙ローラー軸に引っ掛かって給紙不良が発生してしまうことがないように用紙供給でき、それだけ円滑に画像形成できる画像形成装置を提供することを課題とする。
【課題を解決するための手段】
【００１６】
本発明は次の給紙装置及び画像形成装置を提供する。
【００１７】
（１）給紙装置
給紙ローラーと、前記給紙ローラーに対向配置された用紙捌き部材と、用紙の少なくとも先端部を含む部分を積載して押し上げるための用紙押上部材と、前記用紙押上部材に積載される用紙を前記給紙ローラーに当接させるように前記用紙押上部材を押圧する押圧手段を含んでおり、前記押圧手段で前記用紙押上部材を押圧することで前記用紙押圧部材に積載される用紙を前記給紙ローラーに接触させて引き出し、前記給紙ローラーと前記捌き部材の間で捌きつつ１枚ずつ供給することができる給紙装置であり、前記給紙ローラーを支持して回転させるための給紙ローラー軸は、前記給紙ローラーの両外側で給紙ローラー半径方向へ該半径内で凹んだ用紙先端角部カール逃がし用の屈曲部を含んでおり、前記用紙押上部材に積載される用紙を前記給紙ローラーに接触させて引き出し開始するとき、前記屈曲部が前記給紙ローラーの回転中心を間にして前記給紙ローラーと前記用紙の接触位置とは反対側の位置に配置される給紙装置。
【００１８】
（２）画像形成装置
給紙装置から供給される記録用紙に画像を形成できる画像形成装置であり、前記給紙装置は本発明に係る給紙装置である画像形成装置。
【００１９】
本発明に係る給紙装置によると、前記給紙ローラーを支持して回転させるための給紙ローラー軸は、前記給紙ローラーの両外側で給紙ローラー半径方向へ該半径内で凹んだ用紙先端角部カール逃がし用の屈曲部を含んでおり、前記用紙押上部材に積載される用紙を前記給紙ローラーに接触させて引き出し開始するとき、前記屈曲部が前記給紙ローラーの回転中心を間にして前記給紙ローラーと前記用紙の接触位置とは反対側の位置に配置される。
【００２０】
従って、前記用紙押上部材に積載され、これから供給されようとする用紙の先端部の角部或いは該角部を含む用紙側縁がカールしていることがあっても、該カール部分は、前記用紙先端角部カール逃がし用の屈曲部内側を通るので、給紙ローラー軸に引っ掛かって進行が阻止されることはない。このように、給紙ローラー軸が用紙先端角部カール逃がし用の屈曲部を含んでいることで、用紙先端部の角部或いは該角部を含む用紙側縁がカールしていることがあっても、該カール部分が給紙ローラー軸に引っ掛かって進行阻止されることを簡単に防ぎつつ用紙供給できる。
【００２１】
本発明に係る画像形成装置は、給紙装置として本発明に係る給紙装置を採用しているので、給紙装置から供給されようとする用紙の先端部の角部或いは該角部を含む用紙側縁がカールしていることがあっても、用紙が給紙ローラー軸に引っ掛かって給紙不良が発生してしまうことがないように、用紙供給でき、それだけ円滑に画像形成できる。
【００２２】
本発明に係る給紙装置においては、構造の簡素化のために、前記給紙ローラー軸は断面形状円形の軸とされ、前記屈曲部を含め一体的に形成されていてもよい。
【００２３】
また、前記給紙ローラー軸は次のようなものでもよい。すなわち、前記給紙ローラーの両外側から給紙ローラー半径方向へ屈曲し、給紙ローラー半径内域で給紙ローラーから遠ざかるように延び、軸端部が、給紙ローラー回転中心と回転中心を同じくするように軸受け部に回転可能に支持された軸支持部材に連結固定されているものである。
【発明の効果】
【００２４】
本発明によると、給紙ローラーと、前記給紙ローラーに対向配置された用紙捌き部材と、用紙の少なくとも先端部を含む部分を積載して押し上げるための用紙押上部材と、前記用紙押上部材に積載される用紙を前記給紙ローラーに当接させるように前記用紙押上部材を押圧する押圧手段を含んでおり、前記押圧手段で前記用紙押上部材を押圧することで前記用紙押上部材に積載される用紙を前記給紙ローラーに接触させて引き出し、前記給紙ローラーと前記捌き部材の間で捌きつつ１枚ずつ供給することができる給紙装置であって、前記用紙押上部材に積載され、これから供給されようとする用紙の先端部の角部或いは該角部を含む用紙側縁がカールしていることがあっても、用紙カール部が給紙ローラー軸に引っ掛かって給紙不良が発生することを簡単に防ぎつつ用紙供給できる給紙装置を提供することができる。
【００２５】
また本発明によると、給紙装置から供給される記録用紙に画像を形成できる画像形成装置であって、給紙装置から供給されようとする用紙の先端部の角部或いは該角部を含む用紙側縁がカールしていることがあっても、用紙カール部が給紙ローラー軸に引っ掛かって給紙不良が発生してしまうことがないように用紙供給でき、それだけ円滑に画像形成できる画像形成装置を提供することができる。
【図面の簡単な説明】
【００２６】
【図１】本発明に係る画像形成装置の１例の構成の概要を示す図である。
【図２】本発明に係る給紙装置の１例であって、図１の画像形成装置で採用されている給紙装置の要部の斜視図である。
【図３】図２の給紙装置における給紙ローラーをその軸と共に示す図である。
【図４】給紙ローラーの回転制御機構を示す図である。
【図５】給紙装置によるカールのない用紙の給紙開始時の様子を示す図である。
【図６】給紙装置によるカールのある用紙の給紙開始時の様子を示す図である。
【図７】給紙ローラーによる給紙動作を示す図である。
【図８】図１の画像形成装置の制御回路の概略を示すブロック図である。
【発明を実施するための形態】
【００２７】
以下、本発明に係る給紙装置例を採用した画像形成装置の例を図面を参照して説明する。
図１は、本発明に係る画像形成装置の１例を示している。
【００２８】
図１に示す画像形成装置１０は、電子写真方式でモノクロ画像を形成し、記録用紙に印刷するプリンターである。
【００２９】
プリンター１０は、電子写真方式でトナー像を形成する画像形成部１、画像形成部１に記録用紙Ｓを供給する給紙部２、画像形成部１で形成されたトナー像を給紙部２から供給される用紙Ｓに転写する転写部３、用紙Ｓに転写されたトナー像を用紙Ｓに定着させる定着装置４、定着トナー像を保持する用紙Ｓを排出トレイ６へ排出する用紙排出装置５を含んでいる。
【００３０】
プリンター１０はその動作を制御する制御部Ｃ（図8参照）も含んでいる。プリンター１０の各部の動作は制御部Ｃの指示のもとになされる。
【００３１】
画像形成部１は静電潜像担持体として回転駆動されるドラム型感光体１１を備えている。感光体１１の周囲に帯電器１２、現像器１４、クリーナー１５等がこの順序で配置されている。帯電器１２と現像器１４の間から感光体１１へ画像露光を施す画像露光装置１３も設けられている。
【００３２】
画像露光装置１３は図示省略のスキャナー、コンピューター等から画像情報を供給されてレーザー光により感光体１１に画像露光を施すものである。
【００３３】
転写部３も感光体１１に臨んでいる。転写部３は図示省略の転写電源から転写バイアスを印加できる転写ローラー３１を含んでいる。転写ローラー３１は、感光体１１の回転方向（反時計まわり方向）において現像器１４の下流側、且つ、クリーナー１５の上流側で感光体１１に臨んでいる。
【００３４】
転写ローラー３１は図示省略の押圧手段に押圧されて感光体１１との間にニップ部を形成し、感光体１１の回転に従動して、或いは、後述するように該ニップ部に送り込まれる記録用紙の移動に従動して、或いは駆動されて回転することができる。
給紙部２については後ほど詳述する。
【００３５】
定着装置４は、記録用紙Ｓにトナー像を定着させるための加熱用回転部材４１と、これに対向配置された加圧用回転部材４２を含んでいる。本例では、加熱用回転部材４１は、熱源Ｈを内蔵した加熱ローラーである。加圧用回転部材４２は加圧ローラーである。
【００３６】
加熱ローラー４１は図示省略の定着モーターで回転駆動され、加圧ローラー４２は図示省略の押圧装置で加熱ローラー４１へ向け押圧されていて、加熱ローラー４１に従動回転する。
【００３７】
このように対向配置された加熱ローラー４１と加圧ローラー４２とで定着ニップが形成されおり、未定着トナー像が転写された用紙Ｓをそこに通過させることで加熱加圧下に未定着トナー像を用紙Ｓに定着させることができる。
【００３８】
用紙排出装置５は定着装置４から送り出されてくる用紙Ｓを排出トレイ６へ排出する排出ローラー対５１を含んでいる。
【００３９】
プリンター１０によると、制御部Ｃに接続された操作パネル７（図８参照）においてプリント開始キーＰＫが押されると、給紙部２から記録用紙Ｓが供給開始される。
【００４０】
本例では、給紙部２から供給される記録紙ＳがセンサーＴＳＥに検出されると、画像形成部１で画像形成が開始され、記録紙Ｓはタイミングローラー対Ｒで一旦停止される。
【００４１】
画像形成部１において画像形成が開始されると、感光体１１が図中反時計方向に回転駆動され、該感光体表面が帯電器１２にて所定電位に帯電され、該帯電域に画像露光装置１３から形成しようとする画像に応じた画像露光が施される。これにより感光体１１上に静電潜像が形成され、該潜像が現像器１４で負帯電トナーで反転現像されて可視トナー像となる。
【００４２】
タイミングローラー対Ｒで待機していた記録紙Ｓはその画像形成域に感光体１１上のトナー像が転写開始されるようにローラー対Ｒで転写部２へ送り込まれ、図示省略の転写電源から転写バイアスが印加される転写ローラー３１で感光体１１上のトナー像が記録紙Ｓに転写される。トナー像が転写された記録紙Ｓはひき続き定着装置４へ送り込まれ、そこでトナー像が加熱加圧下に定着されて、排出ローラー対５１にて排出トレイ６へ排出される。
【００４３】
トナー像転写後感光体１１上に残留する転写残トナーはクリーナー１５にて除去清掃される。
【００４４】
次に給紙部２について説明する。
図２はプリンター１０で採用されている給紙部２のほぼ全体を示している。図３は給紙部２の給紙装置２０における給紙ローラー２１をその軸２１０と共に示している。図４は
給紙ローラー２１の回転制御機構２３を示している。
給紙部２は記録用紙Ｓを積載収容するカセット２００及び給紙装置２０を含んでいる。
【００４５】
カッセット２００は、これに収容される記録用紙Ｓの先端部を含む部分を積載して押し上げるための用紙押上板２０１、カセット２００がプリンター本体に装着されると用紙押上板２０１を押し上げて用紙Ｓを後述する給紙ローラー２１に接触させる押圧バネ２０２等を含んでいる。
【００４６】
図１は用紙Ｓが給紙ローラー２１に当接される直前の様子を示しており、図５や図６は、用紙Ｓが給紙ローラー２１に当接された状態を示している。
用紙押上板２０１上に積載される用紙Ｓの供給方向Ｘ(図２、図３参照)に対し直角方向（用紙幅方向）の位置決めは一対の手動のサイド規制板２０１ａで行なえる。
【００４７】
給紙装置２０は図示省略の給紙モーターで回転駆動される給紙ローラー２１及びこれに対向配置された捌き部材２２を含んでおり、カセット２００の用紙押上板２０１及び押圧バネ２０２も給紙装置２０の一部を兼ねている。捌き部材２２はバネ２２１で給紙ローラー２１へ向け押圧されている。
【００４８】
捌き部材２２は、用紙Ｓ間の摩擦係数より用紙Ｓと捌き部材２２間の摩擦係数の方が大きい部材であり、給紙ローラー２１に押し当てられ、引き出される用紙Ｓが給紙ローラー２１と捌き部材２２の間へ進入してくると、下側の用紙を摩擦力で停止させる一方、上層用紙Ｓの通過を許す。
【００４９】
従って、給紙装置２０によると、押圧バネ２０２で用紙押上板２０１を押圧することで用紙押上板２０１上の用紙Ｓを給紙ローラー２１に接触させて引き出し、給紙ローラー２１と捌き部材２２の間で捌きつつ１枚ずつ供給することができる。
用紙押上板２０１を給紙ローラーの方へ押圧する手段は、カムの回転により押上板２０１上の用紙を給紙ローラー３１へ当接させたり、それから離したりするもの等でもよい。
【００５０】
給紙ローラー２１を支持して回転させるための給紙ローラー軸２１０は、断面形状円形の軸であり、図２及び図３に示すように、給紙ローラー２１の両外側で給紙ローラー２１の半径方向へ凹んだ、しかし、該半径内域にある、用紙先端角部カール逃がし用の屈曲部２１１を含んでいる。
なお、給紙ローラー軸は、例えば、板金を折り曲げてなる断面形状コ字状の軸等でもよい。
【００５１】
さらに説明すると、給紙ローラー軸２１０は、給紙ローラーの両外側から給紙ローラー半径方向へ屈曲し、給紙ローラー半径内で給紙ローラー２１から遠ざかるように延び（図２、図３中、２１１０部分）、軸端部２１０Ｅが給紙ローラー回転中心と回転中心を同じくするように軸受け部２１０Ｂに回転可能に支持された軸支持ギア２１０Ｓに連結固定されている。
【００５２】
ローラー軸２１０の屈曲部２１１は用紙押上板２０１上に積載される用紙Ｓの供給方向Ｘ(図２、図３参照)に対し直角方向（用紙幅方向）に用紙最大幅Ｗを超えるように延在している。
【００５３】
ローラー軸２１０に支持された給紙ローラー２１は、軸端部２１０Ｅを取り付けた軸支持ギア２１０Ｓが図４に示す回転制御機構２３を介して制御部Ｃの指示のもとに回転駆動されることで、給紙方向に回される。
【００５４】
回転制御機構２３は、
プリンター本体の図示省略の駆動モーターにて所定の給紙タイミング（本例では操作パネル７上のプリント開始キーＰＫの操作）で回される本体駆動ギアＧ１、
給紙ローラー軸端部２１０Ｅが連結された回転可能な軸支持ギア２１０Ｓに噛み合うとともにギアＧ１に噛み合って回されることで給紙ローラー２１及びその軸２１０を回転させる給紙系駆動伝達ギアＧ２、
ギアＧ２に同軸に設けられた、係合部２３１ａを有する係合車２３１、
係合車２３１の係合部２３１ａに係合可能な揺動爪部材２３２、
制御部Ｃの指示のもとに爪部材２３２を係合車２３１の係合部２３１ａに係脱させる爪部材操作ソレノイド２３４等を含んでいる。
【００５５】
回転制御機構２３は、給紙が要求されるときは、爪部材２３２をバネ２３３に抗してソレノイド２３４で係合車２３１の係合部２３１ａから脱離させた状態とし、給紙ローラー２１の給紙回転を許す。
【００５６】
また、回転制御機構２３は、給紙開始直前には、爪部材２３２がバネ２３３で係合車２３１の係合部２３１ａに係合している状態とし、それにより、給紙開始時には用紙先端角部カール逃がし用の屈曲部２１１を、図５、図６に示されるように給紙ローラー２１の回転中心２１ｃを間にして給紙ローラー２１と用紙Ｓの接触位置ｐ１とは反対側の位置ｐ２（反対側位置とみなせる略反対側の位置を含む）に配置する。本例では、このとき、屈曲部２１１は側面からみて、屈曲部回転円軌道における頂点（略頂点を含む）に位置している。
【００５７】
給紙装置２０によると、図７に示すように、給紙ローラー軸２１０の屈曲部２１１が位置ｐ２にある状態から給紙開始できる。
【００５８】
このように、給紙装置２０によると、給紙ローラー軸２１０は給紙ローラー２１の両外側で給紙ローラー半径方向へ該半径内域で凹んだ用紙先端角部カール逃がし用の屈曲部２１１を含んでおり、用紙押上板２１０に積載される用紙Ｓを給紙ローラー２１に接触させて引き出し開始するとき、屈曲部２１１が給紙ローラー２１の回転中心を間にして給紙ローラー２１と用紙Ｓの接触位置ｐ１とは反対側の位置ｐ２に配置される。
【００５９】
従って、用紙押上板２０１に積載され、これから供給されようとする用紙Ｓの先端部の角部或いは該角部を含む用紙側縁がカールしていることがあっても、図６に例示するように、該カール部分Ｓｃは用紙先端角部カール逃がし用の屈曲部２１１の内側域を通るので、用紙Ｓが給紙ローラー軸２１０に引っ掛かって進行が阻止されることはない。
【００６０】
このように、給紙ローラー軸２１０が用紙先端角部カール逃がし用の屈曲部２１１を含んでいることで、用紙先端部の角部或いは該角部を含む用紙側縁がカールしていることがあっても、該カール部分Ｓｃが給紙ローラー軸２１０に引っ掛かって進行阻止されることを簡単に防ぎつつ用紙供給できる。
【００６１】
プリンター１０においては、給紙装置２０から供給されようとする用紙Ｓの先端部の角部或いは該角部を含む用紙側縁がカールしていることがあっても、用紙Ｓが給紙ローラー軸２１０に引っ掛かって給紙不良が発生してしまうことがないように、用紙供給でき、それだけ円滑に画像形成できる。
【００６２】
以上説明した画像形成装置（プリンター）はモノクロ画像形成装置であったが、本発明に係る給紙装置は、タンデム型、４サイクル型等のカラー画像形成装置にも適用でき、また、プリンターだけでなく、複写機、ファクシミリ機や、複写機、ファクシミリ機、プリンター等のうち２以上を組み合わせた複合機にも適用できる。さらに、電子写真方式の画像形成装置だけでなく、インクプリンター等の他の画像形成方式の画像形成装置にも適用できる。
【００６３】
また、本発明に係る給紙装置は、画像形成装置以外でも、用紙に予め決めたこと（例えば、予め決めた切断、打ち抜き、折り等の加工）をなす等のために、用紙を１枚ずつ供給することが要求される種々の分野に適用できる。
【産業上の利用可能性】
【００６４】
本発明は、用紙の先端部の角部或いは該角部を含む用紙側縁がカールしていることがあっても、用紙カール部が給紙ローラー軸に引っ掛かって給紙不良が発生することを簡単に防ぎつつ用紙供給できる給紙装置及びそのような給紙装置を備えた画像形成装置を提供することに利用できる。
【符号の説明】
【００６５】
１０  プリンター（画像形成装置例）
１  画像形成部
２  給紙部
３  転写部
４  定着装置
５  用紙排出装置
Ｃ  制御部
Ｓ  用紙
２００  記録用紙Ｓを積載収容するカセット
２０  給紙装置２００
２０１  用紙押上板
２０２  押圧バネ
２１  給紙ローラー
２１ｃ  給紙ローラー回転中心
ｐ１  給紙ローラーと用紙の接触位置
ｐ２  位置ｐ１とは反対側位置
２１０  給紙ローラー軸
２１１  屈曲部
２１０Ｅ  軸端部
２１０Ｓ  軸支持ギア
２１０Ｂ  軸受け部
【図１】
2013126906.tif 000003
【図２】
2013126906.tif 000004
【図３】
2013126906.tif 000005
【図４】
2013126906.tif 000006
【図５】
2013126906.tif 000007
【図６】
2013126906.tif 000008
【図７】
2013126906.tif 000009
【図８】
2013126906.tif 000010